【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
トナー像を担持する感光体と、
前記感光体を帯電する帯電部材と、
前記感光体と接触して転写部を形成し、前記転写部において前記感光体に担持されたトナー像を転写材に転写する転写部材と、
前記帯電部材と前記転写部材に所定極性の電圧を出力するための第１の電圧手段と、
前記第１の電圧手段と電気的に接続され、前記所定極性とは逆極性の電圧を前記転写部材に出力するための第２の電圧手段と、
前記転写部材に流れる電流を検知する検知手段と、
前記第１の電圧手段および前記第２の電圧手段を制御する制御手段と、を備え、
前記制御手段は、前記転写部に転写材が挟持されていない状態で、前記第１の電圧手段と前記第２の電圧手段を制御することによって、前記帯電部材に前記所定極性の電圧を印加し、且つ、前記転写部材に前記所定極性の電圧及び前記逆極性の電圧が重畳された電圧を印加し、前記検知手段によって検知される電流の値と前記第２の電圧手段に出力する前記逆極性の電圧の値に基づいて、前記感光体から転写材にトナー像を転写するために前記第２の電圧手段から前記転写部材に出力する転写電圧を設定する調整制御を実行することが可能な画像形成装置において、
前記制御手段は、前記調整制御を実行している間に、前記制御手段から前記第１の電圧手段に出力する前記所定極性の電圧の値を変更した場合、
前記第１の電圧手段に出力する前記所定極性の電圧を変更した時点を含む所定期間は、前記検知手段によって検知された検知結果を前記調整制御に反映させないことを特徴とする画像形成装置。
【請求項２】
前記制御手段は、前記調整制御を実行している間に、前記制御手段によって前記第１の電圧手段に出力する前記所定極性の電圧の値を変更した場合、前記所定期間の前後の期間における、前記検知手段によって検知された電流の値と、前記第２の電圧手段に出力された前記逆極性の電圧の値に基づいて、前記転写電圧を設定することを特徴とする請求項１に記載の画像形成装置。
【請求項３】
前記制御手段は、前記調整制御を実行する場合、前記検知手段によって検知される電流の値に基づいて前記第２の電圧手段に出力する前記逆極性の電圧を切り替えることにより、前記検知手段によって検知される電流の値を所定の目標電流値に収束させ、前記目標電流値に収束するときにおける前記第２の電圧手段に出力される前記逆極性の電圧の値に基づいて、前記転写電圧を設定することを特徴とする請求項１又は２に記載の画像形成装置。
【請求項４】
前記制御手段は、前記調整制御を実行する場合、前記第２の電圧手段から出力される前記逆極性の電圧の値が安定した後に、前記検知手段によって検知された電流の値に基づいて前記第２の電圧手段から前記転写部材に出力する前記逆極性の電圧の値を切り替える所定動作を繰り返して実施することで、前記検知手段によって検知される電流の値を前記目標電流値に収束させることを特徴とする請求項３に記載の画像形成装置。
【請求項５】
前記制御手段は、前記所定期間の前後の期間における前記所定動作の実施回数が、予め決められた第１実施回数に到達するまで前記所定動作を繰り返して実施することで、前記検知手段によって検知される電流の値を前記目標電流値に収束させることを特徴とする請求項４に記載の画像形成装置。
【請求項６】
前記制御手段は、前記所定期間の後の期間における前記所定動作の実施回数が、予め決められた第２実施回数に到達するまで前記所定動作を繰り返して実施することで、前記検知手段によって検知される電流の値を前記目標電流値に収束させることを特徴とする請求項５に記載の画像形成装置。
【請求項７】
転写材を収容する収容部と、前記収容部か前記転写部に向かって転写材を給送する給送手段と、を備え、前記制御手段は、前記所定期間の前後の期間における前記所定動作の実施回数が前記第１実施回数に到達し、前記所定期間の後の期間における前記所定動作の実施回数が前記第２実施回数に到達したタイミングにおいて、前記給送手段を駆動して転写材を給送することを特徴とする請求項６に記載の画像形成装置。
【請求項８】
前記転写材の搬送方向に関して前記転写部と前記給送手段との間に設けられ、前記給送手段によって前記転写部に向かって給送される転写材を検知する検知部を備え、
前記制御手段は、前記給送手段を駆動して転写材を給送した後に、前記転写材の搬送方向に関する転写材の先端が前記検知部によって検知されるまで、前記所定動作を繰り返して実施することを特徴とする請求項７に記載の画像形成装置。
【請求項９】
前記所定期間においては、前記制御手段は、前記第２の電圧手段に出力する前記逆極性の電圧の値を変更せず、前記第１の電圧手段に出力する前記所定極性の電圧の値を変更する直前に前記第２の電圧手段に出力していた前記逆極性の電圧の値を維持することを特徴とする請求項３乃至８のいずれか１項に記載の画像形成装置。
【請求項１０】
前記第１の電圧手段から前記帯電部材に出力される前記所定極性の電圧を制御する帰還回路を備え、前記調整制御を実行している間に、前記制御手段によって前記第１の電圧手段から出力する前記所定極性の電圧の値を変更した場合、
前記制御手段は、前記第１の電圧手段から出力する前記所定極性の電圧を変更した時点を含む第１の所定期間と、前記第１の電圧手段から出力する前記所定極性の電圧を変更した時点から前記感光体が１周回転する時間が経過した後の第２の所定期間と、において、前記検知手段によって検知された検知結果を前記調整制御に反映させないことを特徴とする請求項４に記載の画像形成装置。
【請求項１１】
前記制御手段は、前記第１の所定期間と前記第２の所定期間とを除いた期間における前記所定動作の実施回数が、予め決められた第１実施回数に到達するまで前記所定動作を繰り返して実施することで、前記検知手段によって検知される電流の値を前記目標電流値に収束させることを特徴とする請求項１０に記載の画像形成装置。
【請求項１２】
前記制御手段は、前記第２の所定期間の後の期間における前記所定動作の実施回数が、予め決められた第２実施回数に到達するまで前記所定動作を繰り返して実施することで、前記検知手段によって検知される電流の値を前記目標電流値に収束させることを特徴とする請求項１１に記載の画像形成装置。
【請求項１３】
転写材を収容する収容部と、前記収容部か前記転写部に向かって転写材を給送する給送手段と、を備え、前記制御手段は、前記第１の所定期間と前記第２の所定期間とを除いた期間における前記所定動作の実施回数が前記第１実施回数に到達し、前記第２の所定期間の後の期間における前記所定動作の実施回数が前記第２実施回数に到達したタイミングにおいて、前記給送手段を駆動して転写材を給送することを特徴とする請求項１２に記載の画像形成装置。
【請求項１４】
前記転写材の搬送方向に関して前記転写部と前記給送手段との間に設けられ、前記給送手段によって前記転写部に向かって給送される転写材を検知する検知部を備え、
前記制御手段は、前記給送手段を駆動して転写材を給送した後に、前記転写材の搬送方向に関する転写材の先端が前記検知部によって検知されるまで、前記所定動作を繰り返して実施することを特徴とする請求項１３に記載の画像形成装置。
【請求項１５】
前記制御手段は、前記第１の所定期間と前記第２の所定期間とにおいては、前記検知手段によって検知される電流に基づいて前記第２の電圧手段から出力される前記逆極性の電圧の値を切り替える動作を実行しないことを特徴とする請求項１０乃至１４のいずれか１項に記載の画像形成装置。
【請求項１６】
前記制御手段は、前記制御手段に送信された画像信号を前記画像形成装置において画像を形成するためのデータに変換する間に、前記第１の電圧手段及び前記第２の電圧手段を制御して前記調整制御を開始することが可能であることを特徴とする請求項１乃至１５のいずれか１項に記載の画像形成装置。
【請求項１７】
前記調整制御を実行する場合、前記制御手段は、前記第１の電圧手段から前記帯電部材に予め決められた第１の電圧を出力することを特徴とする請求項１６に記載の画像形成装置。
【請求項１８】
前記制御手段は、前記第１の電圧手段から前記帯電部材に前記第１の電圧を出力して前記調整制御を開始し、前記データの変換が完了した後に前記データに基づいて前記第１の電圧手段から出力する電圧の値を前記第１の電圧から変更することを特徴とする請求項１７に記載の画像形成装置。
【請求項１９】
前記転写部において前記感光体から転写材にトナー像を転写する場合、前記制御手段は、前記第１の電圧手段および前記第２の電圧手段を制御し、前記第１の電圧手段から前記帯電部材に出力される前記所定極性の電圧と、前記第２の電圧手段から出力される前記逆極性の電圧とを重畳した電圧を前記転写部材に出力することを特徴とする請求項１乃至１８のいずれか１項に記載の画像形成装置。
【手続補正２】
【補正対象書類名】明細書
【補正対象項目名】０００９
【補正方法】変更
【補正の内容】
【０００９】
本発明は、トナー像を担持する感光体と、前記感光体を帯電する帯電部材と、前記感光体と接触して転写部を形成し、前記転写部において前記感光体に担持されたトナー像を転写材に転写する転写部材と、前記帯電部材と前記転写部材に所定極性の電圧を出力するための第１の電圧手段と、前記第１の電圧手段と電気的に接続され、前記所定極性とは逆極性の電圧を前記転写部材に出力するための第２の電圧手段と、前記転写部材に流れる電流を検知する検知手段と、前記第１の電圧手段および前記第２の電圧手段を制御する制御手段と、を備え、前記制御手段は、前記転写部に転写材が挟持されていない状態で、前記第１の電圧手段と前記第２の電圧手段を制御することによって、前記帯電部材に前記所定極性の電圧を印加し、且つ、前記転写部材に前記所定極性の電圧及び前記逆極性の電圧が重畳された電圧を印加し、前記検知手段によって検知される電流の値と前記第２の電圧手段に出力する前記逆極性の電圧の値に基づいて、前記感光体から転写材にトナー像を転写するために前記第２の電圧手段から前記転写部材に出力する転写電圧を設定する調整制御を実行することが可能な画像形成装置において、前記制御手段は、前記調整制御を実行している間に、前記制御手段から前記第１の電圧手段に出力する前記所定極性の電圧の値を変更した場合、前記第１の電圧手段に出力する前記所定極性の電圧を変更した時点を含む所定期間は、前記検知手段によって検知された検知結果を前記調整制御に反映させないことを特徴とする。